(57)【要約】【課題】スレーブストロボがＡＦ補助光を受信した場合の誤動作、あるいは、ノイズ回避のために一定期間、受信禁止区間を設けておくことを回避でき、常時スレーブストロボが受信可能状態を維持することができる電子撮像システムを提供する。【解決手段】マスターストロボは、発光コマンドの発光と、オートフォーカス動作時に被写体を照射するＡＦ補助光の発光を行う発光部６２を有する。発光コマンドは、次の発光信号がＡＦ補助光であることを認識する符号を含む。スレーブストロボは、発光コマンドを受け付けて発光する発光部１０１と、発光コマンドを受信し、続く発光信号がＡＦ補助光であることを識別すると、ストロボ発光制御に移行することなく、受信待機状態を維持するスレーブストロボ制御マイコン１００を備える。【選択図】図３Ａ
2011059327.tif 000002
【特許請求の範囲】
【請求項１】
撮像装置と、前記撮像装置から離れた位置にある照明装置とからなり、前記撮像装置からの光通信により前記照明装置の制御を行うストロボ撮影システムであって、
前記撮像装置は、
被写体に合焦させるための焦点検出動作を行う焦点検出手段と、
発光コマンドの発光および前記焦点検出動作時に被写体を照射する補助光の発光を行う発光手段と、
前記発光コマンドに次の発光信号が前記補助光であることを認識する符号を含ませるとともに、前記発光手段に前記発光コマンドの発光に続いて前記補助光を発光させる発光制御手段と、を有し、
前記照明装置は、
前記発光コマンドを受け付けて発光する発光手段と、
前記補助光であることを認識する符号を含んだ前記発光コマンドを受信すると、ストロボ発光制御に移行することなく、受信待機状態を維持させる制御手段と、を有すること特徴とするストロボ撮影システム。
【請求項２】
前記発光制御手段は、前記照明装置によるプリ発光後、メイン発光開始までの期間に、前記焦点検出動作の開始指示を受け付けると、前記発光手段に前記補助光を発光させることを特徴とする請求項１記載のストロボ撮影システム。
【請求項３】
光通信により離れた位置にある照明装置の制御を行う撮像装置であって、
被写体に合焦させるための焦点検出動作を行う焦点検出手段と、
発光コマンドの発光および前記焦点検出動作時に被写体を照射する補助光の発光を行う発光手段と、
前記発光コマンドに次の発光信号が前記補助光であることを認識する符号を含ませるとともに、前記発光手段に前記発光コマンドの発光に続いて前記補助光を発光させる発光制御手段と、を有することを特徴とする撮像装置。
【請求項４】
発光コマンドの発光および焦点検出動作時に被写体を照射する補助光の発光とを行う発光手段を用いる撮像装置と、前記撮像装置から離れた位置にある照明装置とからなり、前記撮像装置からの光通信により前記照明装置の制御を行うストロボ撮影システムの制御方法であって、
前記撮像装置が、前記発光コマンドに次の発光信号が前記補助光であることを認識する符号を含ませるとともに、前記発光手段に前記発光コマンドの発光に続いて前記補助光を発光させ、
前記照明装置が、前記補助光であることを認識する符号を含んだ前記発光コマンドを受信すると、ストロボ発光制御に移行することなく、受信待機状態を維持すること特徴とするストロボ撮影システムの制御方法。
【請求項５】
被写体に合焦させるための焦点検出動作を行う焦点検出手段と、発光コマンドの発光および前記焦点検出動作時に被写体を照射する補助光の発光を行う発光手段と、を有し、光通信により離れた位置にある照明装置の制御を行う撮像装置の制御方法であって、
前記発光コマンドに次の発光信号が前記補助光であることを認識する符号を含ませるとともに、前記発光手段に前記発光コマンドの発光に続いて前記補助光を発光させることを特徴とする撮像装置の制御方法。
【発明の詳細な説明】
【技術分野】
【０００１】
本発明は、撮像装置と照明装置を含むストロボ撮影システム、及びそのストロボ撮影システムを構成する撮像装置に関する。
【背景技術】
【０００２】
撮像装置（カメラ）と該撮像装置とワイヤレス通信を行う照明装置（ワイヤレスストロボ）で構成されるストロボ撮影システムとして、以下の技術が提案されている。
【０００３】
即ち、撮影者が撮影に先立って、カメラのプリ発光開始スイッチを押すと、ワイヤレスストロボに対し、カメラからコマンドとデータを送信する。そして、ワイヤレスストロボによりプリ発光を行い、カメラ内の測光センサで受光した光量を元にストロボ光露光量を演算する。そして、演算した結果を元に、カメラからワイヤレスストロボへ発光量を通知し、続いてレリーズスイッチを押すとカメラの露光動作を開始し、シャッターを走行させるとともに、ワイヤレスストロボをメイン発光させる。
【０００４】
上記のストロボ制御システムに関連して、特許文献１記載の技術がある。
【先行技術文献】
【特許文献】
【０００５】
【特許文献１】特開平０８−０４３８９２号公報
【発明の概要】
【発明が解決しようとする課題】
【０００６】
スレーブストロボがノイズを受信した場合に受信を禁止し、所定時間後に受信を再開するストロボ撮影システムにおいて、プリ発光後、メイン発光開始までの期間に、ＡＦ補助光を発光して、撮影レンズのフォーカス位置を移動させる場合、次のような問題が生じる。
【０００７】
即ち、ＡＦ補助光を受信したスレーブストロボがノイズを受信したとして受信禁止区間に入ってしまい、続くメイン発光を発光タイミングがきたときに発光コマンドを認識できないことからメイン発光時にスレーブストロボが発光制御できないという問題が生じる。
【０００８】
図５は、マスターストロボがデータとコマンドをスレーブストロボに対し送信した場合のタイミングを示すタイミングチャートである。なお、マスターストロボは、発光部を発光させることでスレーブストロボへ光通信によりカメラからのコマンドやデータを送信するストロボのことである。
【０００９】
図５（ａ）、（ｂ）、（ｃ）において、（１）はマスターストロボの送信データ、（２）はスレーブストロボが受信したデータを示している。
【００１０】
図５（ａ）は、送信データをスレーブストロボが受信し、発光コマンドを認識でき、発光制御が正常に行える場合のタイミングを図示したタイミングチャートである。
【００１１】
図５（ｂ）は、マスターストロボがＡＦ補助光としてパルス発光をした場合であり、ここではスレーブストロボが、ストロボ制御データを認識できないため、ノイズ判定処理を行った結果、一定期間受信禁止区間に入る場合を示している。
【００１２】
また、スレーブストロボがノイズを受信した場合に同期して発光してしまう制御システムであれば、ＡＦ補助光を受信したスレーブストロボがＡＦ補助光に同期して発光してしまい、主コンデンサに蓄積した電荷を失って電圧が低下してしまうと、以下の問題がある。
【００１３】
即ち、この場合、メイン発光時に所望の発光光量が得られないという問題が生じる。
【００１４】
本発明の目的は、スレーブストロボがＡＦ補助光を受信した場合の誤動作、あるいは、ノイズ回避のために一定期間、受信禁止区間を設けておくことを回避でき、常時スレーブストロボが受信可能状態を維持することができるようにすることにある。
【課題を解決するための手段】
【００１５】
上記目的を達成するために、本発明にかかるストロボ撮影システムは、撮像装置と、前記撮像装置から離れた位置にある照明装置とからなり、前記撮像装置からの光通信により前記照明装置の制御を行うストロボ撮影システムであって、前記撮像装置は、被写体に合焦させるための焦点検出動作を行う焦点検出手段と、発光コマンドの発光および前記焦点検出動作時に被写体を照射する補助光の発光を行う発光手段と、前記発光コマンドに次の発光信号が前記補助光であることを認識する符号を含ませるとともに、前記発光手段に前記発光コマンドの発光に続いて前記補助光を発光させる発光制御手段と、を有し、前記照明装置は、前記発光コマンドを受け付けて発光する発光手段と、前記補助光であることを認識する符号を含んだ前記発光コマンドを受信すると、ストロボ発光制御に移行することなく、受信待機状態を維持させる制御手段と、を有すること特徴とする。
【００１６】
上記目的を達成するために、本発明にかかる撮像装置は、光通信により離れた位置にある照明装置の制御を行う撮像装置であって、被写体に合焦させるための焦点検出動作を行う焦点検出手段と、発光コマンドの発光および前記焦点検出動作時に被写体を照射する補助光の発光を行う発光手段と、前記発光コマンドに次の発光信号が前記補助光であることを認識する符号を含ませるとともに、前記発光手段に前記発光コマンドの発光に続いて前記補助光を発光させる発光制御手段と、を有することを特徴とする。
【発明の効果】
【００１７】
本発明によれば、スレーブストロボがＡＦ補助光を受信した場合の誤動作、あるいは、ノイズ回避のために一定期間、受信禁止区間を設けておくことを回避でき、常時スレーブストロボが受信可能状態を維持することができる。
【図面の簡単な説明】
【００１８】
【図１】本発明の実施の形態に係る撮像装置のブロック構成図である。
【図２】図１の撮像装置と通信を行い、ストロボ撮影システムを構成するスレーブストロボのブロック構成図である。
【図３Ａ】図１の撮像装置と図２のスレーブストロボからなるストロボ撮影システムによって実行される撮影制御の手順を示すフローチャートである。
【図３Ｂ】図１の撮像装置と図２のスレーブストロボからなるストロボ撮影システムによって実行される撮影制御の手順を示すフローチャートである。
【図４】図２のスレーブストロボの制御処理の手順を示すフローチャートである。
【図５】マスターストロボがデータとコマンドをスレーブストロボに対し送信した場合のタイミングを模式的に示す図である。
【発明を実施するための形態】
【００１９】
以下、本発明を図面を参照しながら詳細に説明する。
【００２０】
図１は、本発明の実施の形態に係る撮像装置のブロック構成図である。
【００２１】
本撮像装置（カメラ）は、シャッター制御部１１、焦点検出部１２、測光部１３、電源スイッチ１４、レリーズスイッチ１５、電子ダイアル１６、ＭＥＮＵスイッチ１７、ＦＥＬＫスイッチ１８、ＡＦ（オートフォーカス）スタートスイッチ１９を備える。
【００２２】
また、本撮像装置は、撮像部３０、タイミング発生部３１、Ａ／Ｄ変換器３２、画像処理部３３、メモリ制御部３４、ＴＦＴ制御部３５、ＴＦＴモニタ３６、画像表示メモリ３７、メモリ３８、圧縮伸張部３９、インターフェース（Ｉ／Ｆ）４０を備える。
【００２３】
また、本撮像装置は、記録部４１、フラッシュ制御部６１、発光部６２、充電制御部６３、レンズ装着検知スイッチ７０、接続インターフェース７１、電源８０、電源制御部８１を備える。
【００２４】
また、本撮像装置は、レンズ制御マイコン２００、絞り制御部２０１、ズーム制御部２０２、焦点制御部２０３を備える。
【００２５】
ＴＦＴ表示ブロックは、メモリ制御部３４、ＴＦＴ制御部３５、ＴＦＴモニタ３６で構成される。
【００２６】
カメラ制御マイコン１０から、メモリ制御部３４及びＴＦＴ制御部３５へ表示コマンド、カメラ制御データ、撮影情報、シャッター秒時など各表示データを受け渡し、メモリ制御部３４及びＴＦＴ制御部３５は、各表示データをＴＦＴモニタ３６に表示する。
【００２７】
撮像部ブロックは、撮像部３０、タイミング発生部３１、撮像部３０からの出力信号をＡ／Ｄ変換するＡ／Ｄ変換器３２、Ａ／Ｄ変換器３２の出力を元に画像処理を行う画像処理部３３により構成される。
【００２８】
メモリ制御部３４は、撮像部ブロックを駆動することにより、画像データを取得する。カメラ制御マイコン１０から、メモリ制御部３４及びＴＦＴ制御部３５へ表示コマンドを受け渡す。ＴＦＴ制御部３５は、得られた画像データを元に表示用データを生成し、得られた表示用データをＴＦＴモニタ３６に表示する。
【００２９】
ここで、フラッシュ制御部６１、発光部６２、充電制御部６３は、マスターストロボを構成する。
【００３０】
マスターストロボは、発光コマンド（ストロボコマンド）発光と、焦点検出動作時（オートフォーカス動作時）に被写体を照射するＡＦ補助光発光のために、発光部６２を有する。
【００３１】
フラッシュ制御部６１は、発光コマンドで発光制御する。また、ワイヤレス通信に用いるチャンネル情報、ワイヤレスストロボグループ情報、スレーブストロボの発光量、発光タイミングを送信する。さらに、発光コマンドは、続く発光信号がＡＦ補助光であることを認識する符号と、ＡＦ補助光のための発光回数を含むことができる。
【００３２】
電源８０はカメラの電源であり、電源制御部８１に電力を供給しており、カメラ制御マイコン１０は、電源スイッチ１４がオンしていると、電源制御部８１は、カメラ各部に電源供給を行う。
【００３３】
カメラ制御マイコン１０は、インターフェース７１を経由してレンズ制御マイコン２００とのデータ通信が可能か否かの検知を行う。
【００３４】
カメラ制御マイコン１０は、レンズ装着検知スイッチ７０がオンしている場合、レンズが装着され、レンズ制御マイコン２００とのデータ通信が可能と判定する。そして、カメラ制御マイコン１０と、レンズ制御マイコン２００間でデータを受け渡し、レンズ絞り制御データ、ズーム制御情報、距離環制御情報など各レンズ制御データを受け渡す。
【００３５】
レンズ制御マイコン２００は、各レンズ制御データに応じて、絞り制御部２０１、ズーム制御部２０２、焦点制御部２０３を駆動する。
【００３６】
図２は、図１の撮像装置と光通信を行い、ストロボ撮影システム（ストロボ制御システム）を構成するスレーブストロボ（照明装置）のブロック構成図である。
【００３７】
図２において、スレーブストロボ（ワイヤレスストロボ）は、受光部（受信部）１０５より外部の発光光信号を受光（受信）し、スレーブストロボ制御マイコン１００に伝達する。
【００３８】
スレーブストロボ制御マイコン１００は、受信したデータ群からワイヤレス通信に用いるチャンネル情報、ワイヤレスストロボグループ情報、スレーブストロボの発光量、発光タイミングを照合する。そして、スレーブストロボ制御マイコン１００は、コマンド、及びデータに応じて、チャンネル情報、ワイヤレスストロボグループ情報が一致した場合にストロボ制御する。
【００３９】
光量センサ１０２は、スレーブストロボの発光光量を監視しており、発光部１０１が発光開始後、所定の光量に達したか否かを検知する。所定の光量に達した場合に、スレーブストロボ制御マイコン１００は、発光部１０１を停止し、発光制御を終了する。
【００４０】
充電制御部１０３は、非図示のトランス、コンデンサで構成されており、所望の電圧にトランス制御することにより、スレーブストロボのコンデンサに充電する。
【００４１】
ズーム制御部１０４は、発光部１０１のズーム位置を変動させることで、被写界への照射角を制御する。
【００４２】
スレーブスイッチ１０６は、スレーブストロボをスレーブモードに設定するためのスイッチである。このスレーブスイッチ１０６がオンしていると、スレーブストロボ制御マイコン１００は、スレーブストロボをスレーブモードに設定する。
【００４３】
図３（図３Ａ、図３Ｂ）は、図１の撮像装置と図２のスレーブストロボからなるストロボ撮影システムによって実行される撮影制御の手順を示すフローチャートである。
【００４４】
本フローチャートは、図１におけるカメラ制御マイコン１０（一部はレンズ制御マイコン２００）と、図２におけるスレーブストロボ制御マイコン１００の制御の下に実行される。
【００４５】
ステップＳ１０１で、カメラ制御マイコン１０は、撮影者が撮影に先立って、ＦＥＬＫスイッチ１８（プリ発光開始スイッチ）を押したことを検知すると、プリ発光処理を開始する。
【００４６】
ステップＳ１０２で、カメラ制御マイコン１０は、発光コマンドとデータを準備する。これらは、ワイヤレス通信に用いるチャンネル情報、ワイヤレスストロボグループ情報、スレーブストロボの発光量、発光タイミングで構成する一連のデータからなる。
【００４７】
ステップＳ１０３で、カメラ制御マイコン１０は、マスターストロボを構成するフラッシュ制御部６１及び発光部６２を駆動し、発光コマンドをスレーブストロボに送信する。
【００４８】
ステップＳ１０４に移行し、カメラ制御マイコン１０は、測光部１３を駆動し、被写界の測光値を取得する。
【００４９】
一方、スレーブストロボにおいて、Ｓ２０１で、電源１０７を投入し、スレーブストロボ制御マイコン１００及び受光部１０５に受信信号が届くまで待機状態である。
【００５０】
ステップＳ２０２で、スレーブストロボは、受光部１０５より信号を受信（受光）し、スレーブストロボ制御マイコン１００に伝達する。
【００５１】
スレーブストロボ制御マイコン１００は、受信したデータ群からワイヤレス通信に用いるチャンネル情報、ワイヤレスストロボグループ情報、スレーブストロボの発光量、発光タイミングを照合する。
【００５２】
そして、コマンド、及びデータに応じて、チャンネル情報、ワイヤレスストロボグループ情報が一致した場合にストロボ制御する。チャンネル情報、ワイヤレスストロボグループ情報が一致しなかった場合は、ストロボ制御は行わない。
【００５３】
ステップＳ２０３で、スレーブストロボ制御マイコン１００は、受信したスレーブストロボの発光量でストロボ発光を行う。
【００５４】
ステップＳ２０４に移行し、受光部１０５及び、スレーブストロボ制御マイコン１００は受信待機状態にする。
【００５５】
続いて、ステップＳ１０５で、カメラ制御マイコン１０は、ステップＳ１０４でカメラ内の測光部１３側で受光した光量を元にストロボ光露光量を演算する。
【００５６】
以上のとおり、カメラ制御マイコン１０がワイヤレスデータを送信し、スレーブストロボがストロボプリ発光を行い、これをカメラ内の測光部１３側で受光し、カメラ制御マイコン１０がストロボ光露光量を演算する。
【００５７】
ステップＳ１０６では、撮影者が撮影に先立って、ＡＦスタートスイッチ１９を押すと、カメラ制御マイコン１０は、焦点検出動作の開始指示を検知し、ＡＦ補助光発光処理を開始する。即ち、カメラ制御マイコン１０スレーブストロボによるプリ発光後、メイン発光開始までの期間に、ＡＦスタートスイッチ１９の入力を受け付けると、発光部６２によりＡＦ補助光を発光して、レンズのフォーカス位置を移動させる。
【００５８】
ステップＳ１０７で、カメラ制御マイコン１０は、発光コマンドとデータを準備する。これらは、ワイヤレス通信に用いるチャンネル情報、ワイヤレスストロボグループ情報、スレーブストロボの発光量、発光タイミングに加えて、ＡＦ補助光フラグ、発光回数ｎで構成する一連のデータからなる。チャンネル情報は、全チャンネルに該当する。
【００５９】
ステップＳ１０８で、カメラ制御マイコン１０は、フラッシュ制御部６１及び発光部６２を駆動し、マスターストロボ（の発光部６２）を発光し、コマンドを送信する。
【００６０】
一方、ステップＳ２０５で、スレーブストロボは、受光部１０５より信号を受信し、スレーブストロボ制御マイコン１００に伝達する。スレーブストロボ制御マイコン１００は、受信したデータ群からワイヤレス通信に用いるチャンネル情報、ワイヤレスストロボグループ情報、スレーブストロボの発光量、発光タイミング、ＡＦ補助光フラグ、発光回数ｎで構成する一連のデータを照合する。
【００６１】
そして、コマンド、及びデータに応じて、チャンネル情報、ワイヤレスストロボグループ情報が一致した場合にストロボ制御する。チャンネル情報は全チャンネルに該当する。
【００６２】
ＡＦ補助光フラグがセットされ、発光回数ｎが指定されている場合、スレーブストロボ制御マイコン１００は、続くストロボ光は、ＡＦ補助光であることを認識する符号、ＡＦ補助光のための発光回数を含んだ発光コマンドであることを認識する。
【００６３】
ステップＳ２０６では、スレーブストロボ制御マイコン１００は、発光回数を検知し、発光回数がｎに到達したら、ステップＳ２０７に移行し、受信待機状態にする。
【００６４】
ステップＳ１０９で、カメラ制御マイコン１０は、焦点検出部１２を駆動し、蓄積を開始する。
【００６５】
続いて、ステップＳ１１０で、カメラ制御マイコン１０は、フラッシュ制御部６１及び発光部６２を駆動し、ＡＦ補助光をＡＦセンサ蓄積期間中に、所定回数ｎ回発光する。
【００６６】
ステップＳ１１１で、カメラ制御マイコン１０は、焦点検出部１２の蓄積を完了するとともに、焦点検出部１２の出力を元に相関演算を行い、相関演算によりデフォーカス量を演算する。そして、カメラ制御マイコン１０は、デフォーカス量に応じて、レンズの移動量を決定し、必要量だけレンズを移動させるべく、接続インターフェース７１を介して、レンズマイコン２００に駆動量を伝達する。
【００６７】
ステップＳ１１２で、レンズマイコン２００は、伝達された駆動量に応じて、焦点制御部２０３を駆動することにより、レンズを所望の合焦位置に移動させる。
【００６８】
以上のとおり、カメラ制御マイコン１０がワイヤレスデータ送信と、ＡＦ補助光発光を行い、スレーブストロボ制御マイコン１００がワイヤレスデータを受信し、かつＡＦ補助光を識別する。
【００６９】
ステップＳ１１３で、カメラ制御マイコン１０は、撮影者が撮影に先立って、レリーズスイッチ１５を押した（２段階ＳＷ１、ＳＷ２）ことを検知すると撮影処理を開始する。
【００７０】
ステップＳ１１４で、カメラ制御マイコン１０は、露光動作を開始する。
【００７１】
ステップＳ１１５で、カメラ制御マイコン１０は、発光コマンドとデータを準備する。これは、ワイヤレス通信に用いるチャンネル情報、ワイヤレスストロボグループ情報、スレーブストロボの発光量、発光タイミングで構成する一連のデータからなる。スレーブストロボの発光量の決定に際しては、ステップＳ１０５で算出した光量を元に必要な発光量を決定する。
【００７２】
ステップＳ１１６で、カメラ制御マイコン１０は、フラッシュ制御部６１及び発光部６２を駆動し、発光コマンドを送信する。
【００７３】
ステップＳ１１７に移行し、カメラ制御マイコン１０は、シャッター制御部１１を駆動し、非図示のシャッターを走行させ、所定時間シャッターを開閉した後、シャッターを元の状態に戻して一連の露光動作を終了する。
【００７４】
一方、スレーブストロボは、ステップＳ２０８で受信待機状態である。
【００７５】
ステップＳ２０９で、スレーブストロボは、受光部１０５より信号を受信し、スレーブストロボ制御マイコン１００に伝達する。
【００７６】
スレーブストロボ制御マイコン１００は、受信したデータ群からワイヤレス通信に用いるチャンネル情報、ワイヤレスストロボグループ情報、スレーブストロボの発光量、発光タイミングで構成する一連のデータを照合する。
【００７７】
そして、スレーブストロボ制御マイコン１００は、コマンド、及びデータに応じて、チャンネル情報、ワイヤレスストロボグループ情報が一致した場合にストロボ制御する。
【００７８】
ステップＳ２１０で、スレーブストロボ制御マイコン１００は、受信したスレーブストロボの発光量で、ストロボ発光を行う。
【００７９】
ステップＳ２１１に移行し、受光部１０５及び、スレーブストロボ制御マイコン１００は受信待機状態になる。
【００８０】
以上のとおり、カメラ制御マイコン１０がワイヤレスデータ送信し、スレーブストロボ制御マイコン１００がストロボメイン発光を行う。カメラ制御マイコン１０カメラ内のシャッター制御を動作させるとともに、スレーブストロボ制御マイコン１００は、発光コマンドを受け付けると発光部１０１を発光させる。
【００８１】
前述した図５（ｃ）は、本発明によるタイミングを図示したタイミングチャートであり、マスターストロボは、ストロボデータ送信後にＡＦ補助光としてパルス発光を行う。一方、スレーブストロボは、ストロボ制御データとＡＦ補助光を全て受信し、認識できる状態を示しており、この結果、一定期間受信禁止区間を設けることなく受信し続ける状態を示している。
【００８２】
図４は、図２のスレーブストロボの制御処理の手順を示すフローチャートである。
【００８３】
スレーブスイッチ１０６がオンしていると、スレーブストロボ制御マイコン１００は、ワイヤレスストロボをスレーブモードとする。
【００８４】
ステップＳ３０１で、スレーブストロボ制御マイコン１００は、受光部１０５を受光可能状態にする。
【００８５】
ステップＳ３０２で、受光部１０５からのデータがある場合は、ステップＳ３０３のコマンド分析に遷移する。受光部１０５からのデータが無い場合は、ステップＳ３０９へ遷移し、スレーブストロボ制御マイコン１００は、スリープタイマ時間経過したかを判定する。所定時間が経過していなければ、ステップＳ３０１へ戻る。所定時間が経過しており、受信データが無い場合には、ステップＳ３１０のスリープモードに遷移し、低消費電力状態に移行する。
【００８６】
ステップＳ３０３で、スレーブストロボ制御マイコン１００は、受信部１０５からのデータのコマンド分析を行い、ステップＳ３０４へ遷移する。
【００８７】
ステップＳ３０４で、スレーブストロボ制御マイコン１００は、コマンド分析した結果、ワイヤレスストロボグループ情報を有するか否かを判定する。そして、グループ情報が、スレーブストロボ制御マイコン１００が有するワイヤレスストロボグループ情報と一致する場合には、ステップＳ３０５へ遷移し、含まない場合には、ステップＳ３０１へ遷移する。
【００８８】
スレーブストロボ制御マイコン１００は、スレーブストロボの発光量、発光タイミングのコマンド解析を行い、データを照合し、コマンド、及びデータに応じて、チャンネル情報、ワイヤレスストロボグループ情報が一致した場合にストロボ制御する。
【００８９】
また、スレーブストロボ制御マイコン１００は、チャンネル情報、ワイヤレスストロボグループ情報が一致しなかった場合は、ストロボ制御は行わない。本実施の形態では、チャンネル情報は全チャンネルが該当する構成とした。
【００９０】
ステップＳ３０５で、スレーブストロボ制御マイコン１００は、ワイヤレスストロボチャンネル情報を有するか否かを判定する。そして、チャンネル情報が、スレーブストロボ制御マイコン１００が有するチャンネル情報と一致する場合には、ステップＳ３０６へ遷移し、含まない場合には、ステップＳ３０１へ遷移する。
【００９１】
ステップＳ３０６で、ＡＦ補助光識別フラグがセットしている場合には、ステップＳ３０７へ遷移し、含まない場合には、ステップＳ３１１へ遷移する。
【００９２】
ステップＳ３０７で、スレーブストロボ制御マイコン１００は、ＡＦ補助光パルス回数カウントｎを取得し、続く発光パルス数をカウントし、設定された回数ｎと一致するかを比較する。一致するまでカウントを繰り返し、発光回数が一致する場合には、ステップＳ３０８へ遷移する。
【００９３】
ステップＳ３０８で、スレーブストロボ制御マイコン１００は、ＡＦ補助光発光終了と判定し、本処理を終了する。
【００９４】
ステップＳ３１１で、スレーブストロボ制御マイコン１００は、スレーブストロボの発光量、発光タイミングを、一連の発光コマンド、データに基づいて解析処理し、スレーブストロボの発光制御として用いる。
【００９５】
以上のとおり、スレーブストロボ制御マイコン１００は、ワイヤレス通信に用いるチャンネル情報、ワイヤレスストロボグループ情報、スレーブストロボの発光量、発光タイミングを受信し、コマンドに応じてストロボ制御する。
【００９６】
さらに、スレーブストロボ制御マイコン１００は、ＡＦ補助光であることを認識する符号、ＡＦ補助光のための発光回数を含んだ発光コマンドを受信すると、続くストロボ光がＡＦ補助光であることを識別するとともに、発光回数をカウントする。
【００９７】
一方、スレーブストロボ制御マイコン１００は、コマンドを含まないと判定し、ストロボ発光制御に移行せず、受信待機状態を維持し、次の発光コマンド受信までこの状態を持続する。
【００９８】
本発明の実施の形態によれば、スレーブストロボがＡＦ補助光を受信した場合の誤動作あるいは、ノイズ回避のために一定期間、受信禁止区間を設けておくことを回避でき、常時スレーブストロボが受信可能状態を維持する効果がある。
【００９９】
また、ＡＦ補助光の投光の前に行うワイヤレス通信信号には、ＡＦ補助光のパルス回数（ｎ回）を含んでおり、スレーブストロボがＡＦ補助光を任意の回数であっても識別できる。このことから、ＡＦ補助光パルス回数を少なく発光するシステムを構築することにより、ＡＦ補助光発光時の合焦時間全体を短くする効果がある。
【符号の説明】
【０１００】
１０  カメラ制御マイコン
１１  シャッター制御部
１２  焦点検出部
１３  測光部
１５  レリーズスイッチ
１９  ＡＦスタートスイッチ
６１  フラッシュ制御部
６２  発光部
６３  充電制御部
１００  スレーブストロボ制御マイコン
１０１  発光部
１０２  光量センサ
１０３  充電制御部
１０４  ズーム制御部
１０５  受光部
【図１】
2011059327.tif 000003
【図２】
2011059327.tif 000004
【図３Ａ】
2011059327.tif 000005
【図３Ｂ】
2011059327.tif 000006
【図４】
2011059327.tif 000007
【図５】
2011059327.tif 000008